(57)【要約】【課題】  へき地を含む地域全体の医療及び福祉を総合的に支援するための地域医療・福祉連携ネットワークシステムを提供する。【解決手段】  地域医療支援センター１０のデータベースサーバ４と、アプリケーションサービスサーバ９とが、ネットワーク型電子カルテシステム１１を構築するコンピュータ１２，１３，１４，１５と、ネットワーク型介護支援システム１６を構築するコンピュータ１７，１８と、リハビリテーション総合支援システム１９を構築するコンピュータ２０，２１と、住民検診システム及び生活習慣病支援システム２２を構築するコンピュータ２３と、特定機能病院、地域医療支援病院、開放型病院、及び、かかりつけ医等に設置され、且つ、へき地医療拠点病院、へき地診療所、及び、へき地歯科診療所等に設置され、且つ、へき地医療支援システム２４を構築するコンピュータ２５，２６，２７と、医療・福祉行政支援システム２８を構築するコンピュータ２９とにネットワーク接続されている地域医療・福祉連携ネットワークシステム１を提供する。【選択図】  図１
2005250807.tif 000002
【特許請求の範囲】
【請求項１】
地域医療・福祉に関する地域医療・福祉共有データベースを記憶するデータ記憶手段を備えたデータベースサーバと、
医療情報等を提供するための医療ポータルサイトシステムアプリケーションを記憶する記憶手段を備えたアプリケーションサービスサーバとが地域医療支援センターに設置され、
電子カルテを作成・登録するための電子カルテ作成・登録手段及び電子レセプトを作成・伝送するための電子レセプト作成・伝送手段を含むネットワーク型電子カルテシステムアプリケーションを記憶する記憶手段を備えた第１のコンピュータが、ネットワーク型電子カルテシステムを構成すべく特定機能病院、地域医療支援病院、開放型病院、かかりつけ医に夫々選択的に設置され、
電子レセプトを作成・伝送するための電子レセプト作成・伝送手段を含み、且つ、介護支援を行うためのネットワーク型介護支援システムアプリケーションを記憶する記憶手段を備えた第２のコンピュータが、ネットワーク型介護支援システムを構成すべく入所施設、訪問看護ステーションに夫々選択的に設置され、
リハビリ実施結果・進捗情報を入力・登録するためのリハビリ実施結果・進捗情報入力・登録手段を含み、且つ、リハビリテーションを総合的に支援するリハビリテーション総合支援システムアプリケーションを記憶する記憶手段を備えた第３のコンピュータが、リハビリテーション総合支援システムを構成すべく通所・入所施設、訪問看護ステーションに夫々選択的に設置され、
検診結果入力・登録手段を含み、住民検診を行うための住民検診システムアプリケーション及び生活習慣病を支援する生活習慣病支援システムアプリケーションを記憶する記憶手段を備えた第４のコンピュータが、住民検診システム及び生活習慣病支援システムを構成すべく市町村保健センターに設置され、
へき地医療を支援するためのへき地医療支援システムアプリケーションを記憶する記憶手段を備えた第５のコンピュータが、へき地医療支援システムを構成すべくへき地医療拠点病院、へき地診療所、へき地歯科診療所に夫々選択的に設置され、
医療・福祉行政を支援するための医療・福祉行政支援システムアプリケーションを記憶する記憶手段を備えた第６のコンピュータがへき地医療支援システムを構成すべく公的機関に設置され、
前記２つのサーバ及び第１〜６のコンピュータは夫々通信手段を備え、インターネットを介して相互にネットワーク接続されると共に、該第１〜６のコンピュータは夫々ｗｅｂページ表示手段を備え、
前記第１〜６のコンピュータは夫々該第１〜６のコンピュータが備える記憶手段に記憶される前記システムアプリケーションを読み取り実行し、
前記電子カルテ作成・登録手段、電子レセプト作成・伝送手段、リハビリ実施結果・進捗情報入力・登録手段及び検診結果入力・登録手段を読み取り実行した第１〜４のコンピュータによって作成されたデータは該第１〜４のコンピュータの通信手段、インターネット及び前記データベースサーバの通信手段を介して該データベースサーバに送られ、該データベースサーバに備えられた書き込み手段によってデータ記憶手段内の前記地域医療・福祉共有データベースに書き込まれ、
又、前記第１〜６のコンピュータの各々からのアクセスによって、該地域医療・福祉共有データベースのデータは、前記データベースサーバの読み取り手段によって読み取られ、該データベースサーバの通信手段、インターネット及び該第１〜６のコンピュータの通信手段を介して該第１〜６のコンピュータに送信され、
更に、前記医療ポータルサイトアプリケーションを読み取り実行した前記アプリケーションサービスサーバにより作成された医療ポータルサイトのｗｅｂページデータは、前記ｗｅｂページ表示手段を読み取り、ｗｅｂページを表示する前記第１〜６のコンピュータからのアクセスによって、該アプリケーションサービスサーバの通信手段、インターネット及び該第１〜６のコンピュータの通信手段を介して該第１〜６のコンピュータに送信されて該第１〜６のコンピュータにｗｅｂページとして表示され、該ｗｅｂページによって医療情報の検索及び閲覧が可能となるように構成されていることを特徴とする地域医療・福祉連携ネットワークシステム。
【請求項２】
上記アプリケーションサービスサーバは、撮影カメラ、マイク及びスピーカが選択的に接続されると共に、該アプリケーションサービスサーバが備える記憶手段に医療画像表示手段、レポート作成・伝送手段及び読影支援手段を含み、遠隔地のＭＲＩ装置及びＣＴ装置撮影の読影を支援するための遠隔読影支援システムアプリケーションが記憶され、
一方、所定の上記へき地医療拠点病院及び／又はへき地診療所の第５のコンピュータにはＭＲＩ装置及び／又はＣＴ装置と共に、撮影カメラ、マイク及びスピーカが選択的に接続され、
該へき地医療拠点病院又はへき地診療所で撮影されたＭＲＩ装置及び／又はＣＴ装置の医療画像データは該第５のコンピュータから該第５のコンピュータの通信手段、インターネット、前記アプリケーションサービスサーバの通信手段を介して、該アプリケーションサービスサーバに送信され、該アプリケーションサービスサーバに読み取られた前記医療画像表示手段によって該アプリケーションサービスサーバのモニタに表示されて読影可能となり、該アプリケーションサービスサーバに読み取られた前記レポート作成・伝送手段によって読影結果はレポートとして作成されて、前記へき地医療拠点病院又はへき地診療所の第５のコンピュータに伝送され、
又、前記読影支援手段は前記アプリケーションサービスサーバに読み取られることにより、該アプリケーションサービスサーバに接続される撮影カメラ、マイク及びスピーカと、前記へき地医療拠点病院又はへき地診療所に設置される第５のコンピュータに接続される撮影カメラ、マイク及びスピーカとを該アプリケーションサービスサーバの通信手段、インターネット及び該第５のコンピュータの通信手段を介して選択的に接続し、相互に画像又は音声を送受信することによりアプリケーションサービスサーバ側からＭＲＩ装置又はＣＴ装置の撮影指導を行えるように構成されていることを特徴とする請求項１記載の地域医療・福祉連携ネットワークシステム。
【請求項３】
上記アプリケーションサービスサーバは、撮影カメラ、マイク及びスピーカが選択的に接続されると共に、該アプリケーションサービスサーバが備える記憶手段に、へき地診療所診断支援手段及び巡回検診車支援手段を含み、遠隔地の医療診断を支援するための遠隔診断支援システムアプリケーションが記憶され、
一方、所定の上記へき地診療所及び／又は巡回検診車の第５及び／又は第７のコンピュータには撮影カメラ、マイク及びスピーカが選択的に接続され、
前記へき地診療所診断支援手段又は巡回検診車支援手段は、前記アプリケーションサービスサーバに読み取られることにより、該アプリケーションサービスサーバに接続される撮影カメラ、マイク及びスピーカと、該へき地診療所又は巡回検診車に設置される第５又は第７のコンピュータに接続される撮影カメラ、マイク及びスピーカとを該アプリケーションサービスサーバの通信手段、インターネット及び該第５又は第７のコンピュータの通信手段を介して選択的に接続し、相互に画像又は音声を送受信することにより、該アプリケーションサービスサーバ側にいる医者が第５又は第７のコンピュータ側にいる患者に対して医療診断支援又は健康診断支援できるように構成されていることを特徴とする請求項１又は２記載の地域医療・福祉連携ネットワークシステム。
【請求項４】
上記ネットワーク型電子カルテシステムアプリケーションは、標準疾病コードによる域内疾病情報のデータベース化手段を備え、該データベース化手段が該ネットワーク型電子カルテシステムを構成する第１のコンピュータに読み込まれ実行されることにより、該第１のコンピュータ内の域内疾病情報に標準疾病コードが付与され、且つ、標準疾病コードによる域内疾病情報のデータが作成され、該データは該第１のコンピュータの通信手段、インターネット、上記アプリケーションサービスサーバの通信手段及びデータベースサーバを介して上記地域医療・福祉共有データベースに伝送されて記憶されることを特徴とする請求項１，２又は３記載の地域医療・福祉連携ネットワークシステム。
【発明の詳細な説明】
【技術分野】
【０００１】
本発明は、地域医療・福祉連携ネットワークシステムに関し、特に、へき地を含む地域医療及び地域福祉を連携して支援する地域医療・福祉連携ネットワークシステムに関する。
【背景技術】
【０００２】
近年ネットワークシステム技術の進歩が目覚しく、種々の分野にネットワーク技術が利用され、医療・福祉分野に於いてもネットワークが広く利用されている。
特許文献１には地域医療情報システムが記載され、該地域医療システムはネットワークによって結ばれる地域医療情報システムによって複数の医療施設が夫々管理している診療情報から、同一患者の情報を検索できるようにしたものである。
【０００３】
特許文献２には在宅医療サポートシステムが記載され、該在宅医療サポートシステムは患者が中核病院から退院した後、患者がいる医療サイト及び又は患者のかかりつけの病院などの医療サイトに在宅医療用品を速やかに配送するものである。
【特許文献１】特開２００１−３１８９９２号公報
【特許文献２】特開２００２−１４０４３６号公報
【発明の開示】
【発明が解決しようとする課題】
【０００４】
前述したように、医療・福祉分野に於いてネットワークが広く利用されており、特許文献１及び２に於いても医療分野に於いてネットワークが利用されている。
然しながら、前述したネットワークは特定の目的を達成するための小規模ネットワークであり、へき地等を含む地域全体の医療及び福祉を総合的に支援するものではない。
【０００５】
近年、地方の過疎化が更に進み、特に、へき地等においては深刻な医療機関不足や医者不足に直面し、同様に福祉機関も不足しており、へき地等の住民が十分な医療、福祉を受けられない問題がある。
【０００６】
一方、地域医療、又は、地域の福祉の分野に於いて、ネットワークを利用することにより、地域に於ける種々の医療、又は、福祉の支援を行える可能性がある。  そこで、へき地を含む地域全体の医療及び福祉のネットワークを構築し、ネットワークによる総合的な医療及び福祉の支援が望まれている。
【０００７】
以上の現状に鑑み、本発明の目的は、へき地を含む地域全体の医療及び福祉を総合的に支援するための地域医療・福祉連携ネットワークシステムを提供するものである。
【課題を解決するための手段】
【０００８】
上記の課題を解決すべく、本発明は以下の構成を提供する。
請求項１に係る発明は、地域医療・福祉に関する地域医療・福祉共有データベースを記憶するデータ記憶手段を備えたデータベースサーバと、医療情報等を提供するための医療ポータルサイトシステムアプリケーションを記憶する記憶手段を備えたアプリケーションサービスサーバとが地域医療支援センターに設置され、電子カルテを作成・登録するための電子カルテ作成・登録手段及び電子レセプトを作成・伝送するための電子レセプト作成・伝送手段を含むネットワーク型電子カルテシステムアプリケーションを記憶する記憶手段を備えた第１のコンピュータが、ネットワーク型電子カルテシステムを構成すべく特定機能病院、地域医療支援病院、開放型病院、かかりつけ医に夫々選択的に設置され、電子レセプトを作成・伝送するための電子レセプト作成・伝送手段を含み、且つ、介護支援を行うためのネットワーク型介護支援システムアプリケーションを記憶する記憶手段を備えた第２のコンピュータが、ネットワーク型介護支援システムを構成すべく入所施設、訪問看護ステーションに夫々選択的に設置され、リハビリ実施結果・進捗情報を入力・登録するためのリハビリ実施結果・進捗情報入力・登録手段を含み、且つ、リハビリテーションを総合的に支援するリハビリテーション総合支援システムアプリケーションを記憶する記憶手段を備えた第３のコンピュータが、リハビリテーション総合支援システムを構成すべく通所・入所施設、訪問看護ステーションに夫々選択的に設置され、検診結果入力・登録手段を含み、住民検診を行うための住民検診システムアプリケーション及び生活習慣病を支援する生活習慣病支援システムアプリケーションを記憶する記憶手段を備えた第４のコンピュータが、住民検診システム及び生活習慣病支援システムを構成すべく市町村保健センターに設置され、へき地医療を支援するためのへき地医療支援システムアプリケーションを記憶する記憶手段を備えた第５のコンピュータが、へき地医療支援システムを構成すべくへき地医療拠点病院、へき地診療所、へき地歯科診療所に夫々選択的に設置され、医療・福祉行政を支援するための医療・福祉行政支援システムアプリケーションを記憶する記憶手段を備えた第６のコンピュータがへき地医療支援システムを構成すべく公的機関に設置され、前記２つのサーバ及び第１〜６のコンピュータは夫々通信手段を備え、インターネットを介して相互にネットワーク接続されると共に、該第１〜６のコンピュータは夫々ｗｅｂページ表示手段を備え、前記第１〜６のコンピュータは夫々該第１〜６のコンピュータが備える記憶手段に記憶される前記システムアプリケーションを読み取り実行し、前記電子カルテ作成・登録手段、電子レセプト作成・伝送手段、リハビリ実施結果・進捗情報入力・登録手段及び検診結果入力・登録手段を読み取り実行した第１〜４のコンピュータによって作成されたデータは該第１〜４のコンピュータの通信手段、インターネット及び前記データベースサーバの通信手段を介して該データベースサーバに送られ、該データベースサーバに備えられた書き込み手段によってデータ記憶手段内の前記地域医療・福祉共有データベースに書き込まれ、又、前記第１〜６のコンピュータの各々からのアクセスによって、該地域医療・福祉共有データベースのデータは、前記データベースサーバの読み取り手段によって読み取られ、該データベースサーバの通信手段、インターネット及び該第１〜６のコンピュータの通信手段を介して該第１〜６のコンピュータに送信され、更に、前記医療ポータルサイトアプリケーションを読み取り実行した前記アプリケーションサービスサーバにより作成された医療ポータルサイトのｗｅｂページデータは、前記ｗｅｂページ表示手段を読み取り、ｗｅｂページを表示する前記第１〜６のコンピュータからのアクセスによって、該アプリケーションサービスサーバの通信手段、インターネット及び該第１〜６のコンピュータの通信手段を介して該第１〜６のコンピュータに送信されて該第１〜６のコンピュータにｗｅｂページとして表示され、該ｗｅｂページによって医療情報の検索及び閲覧が可能となるように構成されていることを特徴とする地域医療・福祉連携ネットワークシステムを提供するものである。
【０００９】
請求項２に係る発明は、上記アプリケーションサービスサーバは、撮影カメラ、マイク及びスピーカが選択的に接続されると共に、該アプリケーションサービスサーバが備える記憶手段に医療画像表示手段、レポート作成・伝送手段及び読影支援手段を含み、遠隔地のＭＲＩ装置及びＣＴ装置撮影の読影を支援するための遠隔読影支援システムアプリケーションが記憶され、一方、所定の上記へき地医療拠点病院及び／又はへき地診療所の第５のコンピュータにはＭＲＩ装置及び／又はＣＴ装置と共に、撮影カメラ、マイク及びスピーカが選択的に接続され、該へき地医療拠点病院又はへき地診療所で撮影されたＭＲＩ装置及び／又はＣＴ装置の医療画像データは該第５のコンピュータから該第５のコンピュータの通信手段、インターネット、前記アプリケーションサービスサーバの通信手段を介して、該アプリケーションサービスサーバに送信され、該アプリケーションサービスサーバに読み取られた前記医療画像表示手段によって該アプリケーションサービスサーバのモニタに表示されて読影可能となり、該アプリケーションサービスサーバに読み取られた前記レポート作成・伝送手段によって読影結果はレポートとして作成されて、前記へき地医療拠点病院又はへき地診療所の第５のコンピュータに伝送され、又、前記読影支援手段は前記アプリケーションサービスサーバに読み取られることにより、該アプリケーションサービスサーバに接続される撮影カメラ、マイク及びスピーカと、前記へき地医療拠点病院又はへき地診療所に設置される第５のコンピュータに接続される撮影カメラ、マイク及びスピーカとを該アプリケーションサービスサーバの通信手段、インターネット及び該第５のコンピュータの通信手段を介して選択的に接続し、相互に画像又は音声を送受信することによりアプリケーションサービスサーバ側からＭＲＩ装置又はＣＴ装置の撮影指導を行えるように構成されていることを特徴とする請求項１記載の地域医療・福祉連携ネットワークシステムを提供するものである。
【００１０】
請求項３に係る発明は、上記アプリケーションサービスサーバは、撮影カメラ、マイク及びスピーカが選択的に接続されると共に、該アプリケーションサービスサーバが備える記憶手段に、へき地診療所診断支援手段及び巡回検診車支援手段を含み、遠隔地の医療診断を支援するための遠隔診断支援システムアプリケーションが記憶され、一方、所定の上記へき地診療所及び／又は巡回検診車の第５及び／又は第７のコンピュータには撮影カメラ、マイク及びスピーカが選択的に接続され、前記へき地診療所診断支援手段又は巡回検診車支援手段は、前記アプリケーションサービスサーバに読み取られることにより、該アプリケーションサービスサーバに接続される撮影カメラ、マイク及びスピーカと、該へき地診療所又は巡回検診車に設置される第５又は第７のコンピュータに接続される撮影カメラ、マイク及びスピーカとを該アプリケーションサービスサーバの通信手段、インターネット及び該第５又は第７のコンピュータの通信手段を介して選択的に接続し、相互に画像又は音声を送受信することにより、該アプリケーションサービスサーバ側にいる医者が第５又は第７のコンピュータ側にいる患者に対して医療診断支援又は健康診断支援できるように構成されていることを特徴とする請求項１又は２記載の地域医療・福祉連携ネットワークシステムを提供するものである。
【００１１】
請求項４に係る発明は、上記ネットワーク型電子カルテシステムアプリケーションは、標準疾病コードによる域内疾病情報のデータベース化手段を備え、該データベース化手段が該ネットワーク型電子カルテシステムを構成する第１のコンピュータに読み込まれ実行されることにより、該第１のコンピュータ内の域内疾病情報に標準疾病コードが付与され、且つ、標準疾病コードによる域内疾病情報のデータが作成され、該データは該第１のコンピュータの通信手段、インターネット、上記アプリケーションサービスサーバの通信手段及びデータベースサーバを介して上記地域医療・福祉共有データベースに伝送されて記憶されることを特徴とする請求項１，２又は３記載の地域医療・福祉連携ネットワークシステムを提供するものである。
【発明の効果】
【００１２】
本発明の請求項１記載の発明によれば、地域医療・福祉に関する地域医療・福祉共有データベースを記憶するデータ記憶手段を備えたデータベースサーバと、
医療情報等を提供するための医療ポータルサイトシステムアプリケーションを記憶する記憶手段を備えたアプリケーションサービスサーバとが地域医療支援センターに設置され、電子カルテを作成・登録するための電子カルテ作成・登録手段及び電子レセプトを作成・伝送するための電子レセプト作成・伝送手段を含むネットワーク型電子カルテシステムアプリケーションを記憶する記憶手段を備えた第１のコンピュータが、ネットワーク型電子カルテシステムを構成すべく特定機能病院、地域医療支援病院、開放型病院、かかりつけ医に夫々選択的に設置され、電子レセプトを作成・伝送するための電子レセプト作成・伝送手段を含み、且つ、介護支援を行うためのネットワーク型介護支援システムアプリケーションを記憶する記憶手段を備えた第２のコンピュータが、ネットワーク型介護支援システムを構成すべく入所施設、訪問看護ステーションに夫々選択的に設置され、リハビリ実施結果・進捗情報を入力・登録するためのリハビリ実施結果・進捗情報入力・登録手段を含み、且つ、リハビリテーションを総合的に支援するリハビリテーション総合支援システムアプリケーションを記憶する記憶手段を備えた第３のコンピュータが、リハビリテーション総合支援システムを構成すべく通所・入所施設、訪問看護ステーションに夫々選択的に設置され、検診結果入力・登録手段を含み、住民検診を行うための住民検診システムアプリケーション及び生活習慣病を支援する生活習慣病支援システムアプリケーションを記憶する記憶手段を備えた第４のコンピュータが、住民検診システム及び生活習慣病支援システムを構成すべく市町村保健センターに設置され、へき地医療を支援するためのへき地医療支援システムアプリケーションを記憶する記憶手段を備えた第５のコンピュータが、へき地医療支援システムを構成すべくへき地医療拠点病院、へき地診療所、へき地歯科診療所に夫々選択的に設置され、医療・福祉行政を支援するための医療・福祉行政支援システムアプリケーションを記憶する記憶手段を備えた第６のコンピュータがへき地医療支援システムを構成すべく公的機関に設置され、前記２つのサーバ及び第１〜６のコンピュータは夫々通信手段を備え、インターネットを介して相互にネットワーク接続されると共に、該第１〜６のコンピュータは夫々ｗｅｂページ表示手段を備えているので、前記第１〜６のコンピュータは夫々該第１〜６のコンピュータが備える記憶手段に記憶される前記システムアプリケーションを読み取り実行し、前記電子カルテ作成・登録手段、電子レセプト作成・伝送手段、リハビリ実施結果・進捗情報入力・登録手段及び検診結果入力・登録手段を読み取り実行した第１〜４のコンピュータによって作成されたデータは該第１〜４のコンピュータの通信手段、インターネット及び前記データベースサーバの通信手段を介して該データベースサーバに送られ、該データベースサーバに備えられた書き込み手段によってデータ記憶手段内の前記地域医療・福祉共有データベースに書き込まれる。
【００１３】
又、前記第１〜６のコンピュータの各々からのアクセスによって、該地域医療・福祉共有データベースのデータは、前記データベースサーバの読み取り手段によって読み取られ、該データベースサーバの通信手段、インターネット及び該第１〜６のコンピュータの通信手段を介して該第１〜６のコンピュータに送信され、更に、前記医療ポータルサイトアプリケーションを読み取り実行した前記アプリケーションサービスサーバにより作成された医療ポータルサイトのｗｅｂページデータは、前記ｗｅｂページ表示手段を読み取り、ｗｅｂページを表示する前記第１〜６のコンピュータからのアクセスによって、該アプリケーションサービスサーバの通信手段、インターネット及び該第１〜６のコンピュータの通信手段を介して該第１〜６のコンピュータに送信されて該第１〜６のコンピュータにｗｅｂページとして表示され、該ｗｅｂページによって医療情報の検索及び閲覧が可能となる。
【００１４】
これにより、前記電子カルテ作成・登録手段、電子レセプト作成・伝送手段、リハビリ実施結果・進捗情報の入力・登録手段及び検診結果入力・登録手段によって作成されたデータは前記地域医療・福祉共有データベースに書き込まれ、データの共有化が可能になると共に、地域医療・福祉共有データベースのデータをネットワーク内で閲覧自在であり、且つ、前記医療ポータルサイトのｗｅｂページによって医療情報の検索及び閲覧が可能となり、へき地を含む地域全体の医療及び福祉を総合的に支援することができる。
【００１５】
請求項２記載の発明によれば、上記アプリケーションサービスサーバは、撮影カメラ、マイク及びスピーカが選択的に接続されると共に、該アプリケーションサービスサーバが備える記憶手段に医療画像表示手段、レポート作成・伝送手段及び読影支援手段を含み、遠隔地のＭＲＩ装置及びＣＴ装置撮影の読影を支援するための遠隔読影支援システムアプリケーションが記憶され、一方、所定の上記へき地医療拠点病院及び／又はへき地診療所の第５のコンピュータにはＭＲＩ装置及び／又はＣＴ装置と共に、撮影カメラ、マイク及びスピーカが選択的に接続されているので、請求項１記載の発明の効果に加え、該へき地医療拠点病院又はへき地診療所で撮影されたＭＲＩ装置及び／又はＣＴ装置の医療画像データは該第５のコンピュータから該第５のコンピュータの通信手段、インターネット、前記アプリケーションサービスサーバの通信手段を介して、該アプリケーションサービスサーバに送信され、該アプリケーションサービスサーバに読み取られた前記医療画像表示手段によって該アプリケーションサービスサーバのモニタに表示されて読影可能となり、該アプリケーションサービスサーバに読み取られた前記レポート作成・伝送手段によって読影結果はレポートとして作成されて、前記へき地医療拠点病院又はへき地診療所の第５のコンピュータに伝送され、又、前記読影支援手段は前記アプリケーションサービスサーバに読み取られることにより、該アプリケーションサービスサーバに接続される撮影カメラ、マイク及びスピーカと、前記へき地医療拠点病院又はへき地診療所に設置される第５のコンピュータに接続される撮影カメラ、マイク及びスピーカとを該アプリケーションサービスサーバの通信手段、インターネット及び該第５のコンピュータの通信手段を介して選択的に接続し、相互に画像又は音声を送受信することによりアプリケーションサービスサーバ側からＭＲＩ装置又はＣＴ装置の撮影指導を行なうことができる。
【００１６】
請求項３記載の発明によれば、上記アプリケーションサービスサーバは、撮影カメラ、マイク及びスピーカが選択的に接続されると共に、該アプリケーションサービスサーバが備える記憶手段に、へき地診療所診断支援手段及び巡回検診車支援手段を含み、遠隔地の医療診断を支援するための遠隔診断支援システムアプリケーションが記憶され、一方、所定の上記へき地診療所及び／又は巡回検診車の第５及び／又は第７のコンピュータには撮影カメラ、マイク及びスピーカが選択的に接続されているので、請求項１又は２記載の発明の効果に加え、前記へき地診療所診断支援手段又は巡回検診車支援手段は、前記アプリケーションサービスサーバに読み取られることにより、該アプリケーションサービスサーバに接続される撮影カメラ、マイク及びスピーカと、該へき地診療所又は巡回検診車に設置される第５又は第７のコンピュータに接続される撮影カメラ、マイク及びスピーカとを該アプリケーションサービスサーバの通信手段、インターネット及び該第５又は第７のコンピュータの通信手段を介して選択的に接続し、相互に画像又は音声を送受信することにより、該アプリケーションサービスサーバ側にいる医者が第５又は第７のコンピュータ側にいる患者に対して医療診断支援又は健康診断支援をすることができる。
【００１７】
請求項４記載の発明によれば、上記ネットワーク型電子カルテシステムアプリケーションは、標準疾病コードによる域内疾病情報のデータベース化手段を備えているので、請求項１，２又は３記載の発明の効果に加え、該データベース化手段が該ネットワーク型電子カルテシステムを構成する第１のコンピュータに読み込まれ実行されることにより、該第１のコンピュータ内の域内疾病情報に標準疾病コードが付与され、且つ、のデータが作成され、該データは該第１のコンピュータの通信手段、インターネット、上記アプリケーションサービスサーバの通信手段及びデータベースサーバを介して上記地域医療・福祉共有データベースに伝送されて記憶され、該標準疾病コードによる域内疾病情報をネットワーク内で共有化できると共に、ネットワーク内で閲覧が可能となる。
【発明を実施するための最良の形態】
【００１８】
以下、実施例を示した図面を参照しつつ本発明の実施の形態を説明する。
図１に於いて、１は、本発明の地域医療・福祉連携ネットワークシステムを示し、該地域医療・福祉連携ネットワークシステム１は、地域医療・福祉に関する地域医療・福祉共有データベース２を記憶するデータ記憶手段３を備えたデータベースサーバ４と、該データベースサーバ４に接続されると共に、医療情報等を提供するための医療ポータルサイトシステムアプリケーション５、遠隔地のＭＲＩ装置及びＣＴ装置撮影の読影を支援するための遠隔読影支援システムアプリケーション６、及び、遠隔地の医療診断を支援するための遠隔診断支援システムアプリケーション７を記憶する記憶手段８を備えたアプリケーションサービスサーバ９とが地域医療支援センター１０に配置されている。
【００１９】
そして、電子カルテ及び電子レセプトを作成・登録するためのネットワーク型電子カルテシステム１１を構築する第１のコンピュータであるコンピュータ１２，１３，１４，１５が、特定機能病院、地域医療支援病院、開放型病院、かかりつけ医に夫々設置されている。
【００２０】
更に、介護支援を行うためのネットワーク型介護支援システム１６を構成する第２のコンピュータであるコンピュータ１７，１８が入所施設、訪問看護ステーションに夫々設置されている。
【００２１】
更に又、リハビリテーションを総合的に支援するためのリハビリテーション総合支援システム１９を構築する第３のコンピュータであるコンピュータ２０，２１が、通所・入所施設、デイケアセンターを含む訪問看護ステーションに夫々設置されている。
【００２２】
そして、住民検診を行うと共に、生活習慣病を支援するための住民検診システム及び生活習慣病支援システム２２を構築する第４のコンピュータであるコンピュータ２３が市町村保健センターに設置され、へき地医療を支援するためのへき地医療支援システム２４を構成する第５のコンピュータであるコンピュータ２５，２６，２７が、へき地医療拠点病院、へき地診療所、へき地歯科診療所に夫々設置されている。
【００２３】
又、医療福祉行政を支援するための医療・福祉行政支援システム２８を構築する第６のコンピュータであるコンピュータ２９が県等の公的機関に夫々設置されている。
尚、前記サーバ４，９及びコンピュータ１２〜１５、１７，１８、２０，２１、２３、２５〜２７、２９は１台が表示されているが、これに限定されず複数台になる場合もあり、又、該コンピュータ１２〜１５、１７，１８、２０，２１、２３、２５〜２７、２９が設置される施設も夫々１つの施設が示されているが、これに限定されず複数施設になる場合が多く存在する。
【００２４】
更に、前記サーバ４，９及びコンピュータ１２〜１５、１７，１８、２０，２１、２３、２５〜２７、２９は、図示は省略するが相互に通信するためのモデム、通信ソフト等の通信手段、データ送受信のためのデータ送受信手段及びメール送受信手段等を搭載し、ブロードバンド又はＣＡＴＶ等を利用したインターネット３０を介して相互にネットワーク接続されている。
【００２５】
更に又、前記地域医療・福祉共有データベース２は患者カルテ情報データベース３１、リハビリ情報データベース３２、住民健康情報データベース３３、介護情報データベース３４を備えている。
【００２６】
そして、ネットワーク型電子カルテシステム１１を構築するコンピュータ１２〜１５、ネットワーク型介護支援システム１６を構築するコンピュータ１７，１８、リハビリテーション総合支援システム１９を構築するコンピュータ２０，２１、住民検診システム及び生活習慣病支援システム２２を構築するコンピュータ２３、へき地医療支援システム２４を構築するコンピュータ２５〜２７及び医療・福祉行政支援システム２８を構築するコンピュータ２９によって作成されたデータ等は該コンピュータ１２〜１５、１７，１８、２０，２１、２３、２４〜２７及び２９の通信手段、インターネット３０及び前記データベースサーバ４の通信手段、及び、データ送受信手段を介して該データベースサーバ４に送られ、該データベースサーバ４に備えられた書き込み手段によってデータ記憶手段３内の前記地域医療・福祉共有データベース２の前記患者カルテ情報データベース３１、リハビリ情報データベース３２、住民健康情報データベース３３、介護情報データベース３４に夫々書き込まれ、前記コンピュータ１２〜１５、１７，１８、２０，２１、２３、２４〜２７及び２９から該コンピュータ１２〜１５、１７，１８、２０，２１、２３、２４〜２７及び２９の通信手段、インターネット３０、前記データベースサーバ４の通信手段を介して、該地域医療・福祉共有データベース２にアクセスがあると、該地域医療・福祉共有データベース２の前記患者カルテ情報データベース３１、リハビリ情報データベース３２、住民健康情報データベース３３、介護情報データベース３４のデータは、前記データベースサーバ４の読み取り手段によって読み取られ、該データベースサーバ４の通信手段、インターネット３０及び該コンピュータ１２〜１５、１７，１８、２０，２１、２３、２４〜２７及び２９の通信手段を介して該コンピュータ１２〜１５、１７，１８、２０，２１、２３、２４〜２７及び２９に送信される。
【００２７】
又、前記アプリケーションサービスサーバ９、データベースサーバ４、及び、前記コンピュータ１２〜１５、１７，１８、２０，２１、２３、２４〜２７及び２９は夫々の通信手段、データ送受信手段及びインターネット３０を介して相互にデータの送受信が可能であると共に、メール送受信手段によってメールの交換が可能に構成されている。
【００２８】
尚、前記地域医療・福祉連携ネットワークシステム１のアクセスや情報の閲覧については、高度なセキュリティによって保護されており、プライバシーが十分配慮された設計となっている。
【００２９】
図２は、前記医療ポータルサイトシステムアプリケーション５によって作動される医療ポータルサイトシステム３５を示し、該医療ポータルサイトシステム３５は、該医療ポータルサイトシステムアプリケーション５を記憶する記憶手段８がアプリケーションサービスサーバ９に接続され、該医療ポータルサイトシステムアプリケーション５は医療ポータルサイト作成手段３６及び検索手段３７を含み、一方、前記データベースサーバ４に接続されるデータ記憶手段３内に医療機関情報データベース３８及び医療・健康情報のデータベース３９が記憶されている。
【００３０】
而して、前記アプリケーションサービスサーバ９が前記医療ポータルサイトシステムアプリケーション５を読み込み実行すると、該医療ポータルサイトシステムアプリケーション５の前記医療ポータルサイト作成手段３６によって、医療情報を提供するためのｗｅｂページデータが作成されて医療ポータルサイトが提供され、前記コンピュータ１２〜１５、１７，１８、２０，２１、２３、２４〜２７及び２９から該コンピュータ１２〜１５、１７，１８、２０，２１、２３、２４〜２７及び２９の通信手段、インターネット３０、前記データベースサーバ４の通信手段を介して、該医療ポータルサイトにアクセスがあると、前記コンピュータ１２〜１５、１７，１８、２０，２１、２３、２４〜２７及び２９のＷＷＷブラウザ等のｗｅｂページ表示手段によって、該コンピュータ１２〜１５、１７，１８、２０，２１、２３、２４〜２７及び２９のモニタに該医療ポータルサイトのｗｅｂページが表示され、該ｗｅｂページを介して、前記医療機関情報データベース３８及び医療・健康情報のデータベース３９内の医療機関情報、例えば、医療機関の紹介や診療日の情報や、健康や医療の知識に関する情報等が閲覧自在になり、又、該ｗｅｂページの検索画面を介して検索を行うと、前記検索手段３７が作動することにより情報の絞込みが可能になる。
【００３１】
又、前記医療機関情報データベース３８及び医療・健康情報のデータベース３９内には該データベース３８，３９の外部情報にアクセスするアクセス情報も含まれているため、該アクセス情報によって外部情報の閲覧も可能になる。
【００３２】
更に、前記医療機関情報データベース３８及び医療・健康情報のデータベース３９と同様に、前記地域医療・福祉共有データベース２内のデータの閲覧及び検索も可能である。
【００３３】
図３は前記ネットワーク型電子カルテシステム１１を示し、特定機能病院、地域医療支援病院、開放型病院、かかりつけ医に夫々設置されたコンピュータ１２，１３，１４，１５が相互にインターネット、公衆回線又は専用線等を用いたネットワーク４０によって接続されると共に、該コンピュータ１２，１３，１４，１５が前記ネットワーク型電子カルテシステム１１を作動させるためのネットワーク型電子カルテシステムアプリケーション４１を記憶する記憶手段４２，４３，４４，４５に夫々接続され、該ネットワーク型電子カルテシステムアプリケーション４１は、ｗｅｂページ表示手段４６、電子カルテ作成・登録手段４７及び電子レセプト作成・伝送手段４８及び標準疾病コードが付与される域内疾病情報のデータベース化手段４９を含んでいる。尚、該ネットワーク型電子カルテシステムアプリケーション４１は、ＡＳＰ（Ａｐｐｌｉｃａｔｉｏｎ  Ｓｅｒｖｉｃｅ  Ｐｒｏｖｉｄｅｒ）型で提供されても良い。
【００３４】
而して、前記コンピュータ１２，１３，１４，１５は該コンピュータ１２，１３，１４，１５の通信手段及び前記ネットワーク４０を介して相互に通信可能となり、データ転送、メールの交換等が可能になると共に、該コンピュータ１２，１３，１４，１５の通信手段、インターネット２８、前記データベースサーバ４の通信手段を介して前記地域医療・福祉共有データベース２にアクセスして該地域医療・福祉共有データベース２のデータの取得も可能になる。
【００３５】
又、前記ｗｅｂページ表示手段４６が前記コンピュータ１２，１３，１４，１５に読み込まれて実行されると、前記アプリケーションサービスサーバ７から提供される医療ポータルサイトのｗｅｂページを閲覧可能となり、且つ、検索も可能となる。
【００３６】
更に、前記電子カルテ作成・登録手段４７又は前記電子レセプト作成・伝送手段４８が前記コンピュータ１２，１３，１４，１５に読み込まれると電子カルテの作成が可能となり、前記地域医療・福祉共有データベース２の患者カルテ情報データベース３１に登録可能となり、又は、電子レセプトが作成されて、該地域医療・福祉共有データベース２の患者カルテ情報データベース３１へ伝送可能となる。
【００３７】
更に又、前記域内疾病情報のデータベース化手段４９が前記コンピュータ１２，１３，１４，１５に読み込まれると地域内の疾病情報について、標準疾病コードが付与された域内疾病情報のデータベース化が可能となり、該データは上記地域医療・福祉共有データベース２の患者カルテ情報データベース３１に伝送されて記憶される。そして、該患者カルテ情報データベース３１に記録されたデータは地域医療・福祉連携ネットワークシステム１を構成するサーバ４，９、前記コンピュータ１２〜１５、１７，１８、２０，２１、２３、２４〜２７及び２９によって閲覧及び検索自在となる。
【００３８】
図４は前記ネットワーク型介護支援システム１６を示し、入所施設、訪問看護ステーションに夫々設置されたコンピュータ１７，１８が相互にインターネット、公衆回線又は専用線等を用いたネットワーク５０によって接続されると共に、該コンピュータ１７，１８が前記ネットワーク型介護支援システム１６を作動させるためのネットワーク型介護支援システムアプリケーション５１を記憶する記憶手段５２に夫々接続され、該ネットワーク型介護支援システムアプリケーション５１は、ｗｅｂページ表示手段５３及び電子レセプト作成・伝送手段５４を含んでいる。尚、該ネットワーク型介護支援システムアプリケーション５１は、ＡＳＰ型で提供されても良い。
【００３９】
而して、前記コンピュータ１７，１８は該コンピュータ１７，１８の通信手段及び前記ネットワーク５０を介して相互に通信可能となり、データ転送、メールの交換等が可能になると共に、該コンピュータ１７，１８の通信手段、インターネット２８、前記データベースサーバ４の通信手段を介して前記地域医療・福祉共有データベース２にアクセスして該地域医療・福祉共有データベース２のデータの取得も可能になる。
【００４０】
又、前記ｗｅｂページ表示手段５３が前記コンピュータ１７，１８に読み込まれて実行されると、前記アプリケーションサービスサーバ９から提供される医療ポータルサイトのｗｅｂページを閲覧可能となり、且つ、検索も可能となる。
又、前記電子レセプト作成・伝送手段５４が前記コンピュータ１７，１８に読み込まれると電子レセプトが作成されて、前記地域医療・福祉共有データベース２の介護情報データベース３３へ伝送可能となる。
【００４１】
そして、該介護情報データベース３３に記録されたデータは地域医療・福祉連携ネットワークシステム１を構成するサーバ４，９、前記コンピュータ１２〜１５、１７，１８、２０，２１、２３、２４〜２７及び２９によって閲覧及び検索自在となる。
【００４２】
図５は前記リハビリテーション総合支援システム１９を示し、通所・入所施設、訪問看護ステーションに夫々設置されたコンピュータ２０，２１が前記リハビリテーション総合支援システム１９を作動させるためのリハビリテーション総合支援システムアプリケーション５５を記憶する記憶手段５６に夫々接続され、該リハビリテーション総合支援システムアプリケーション５５は、ｗｅｂページ表示手段５７及びリハビリ実施結果・進捗情報入力・登録手段５８を含んでいる。尚、該リハビリテーション総合支援システムアプリケーション５５は、ＡＳＰ型で提供されても良い。
【００４３】
而して、前記コンピュータ２０，２１は該コンピュータ２０，２１の通信手段、インターネット２８、前記データベースサーバ４の通信手段を介して前記地域医療・福祉共有データベース２にアクセスして該地域医療・福祉共有データベース２のデータの取得が可能になる。
【００４４】
又、前記ｗｅｂページ表示手段５７が前記コンピュータ２０，２１に読み込まれて実行されると、前記アプリケーションサービスサーバ９から提供される医療ポータルサイトのｗｅｂページを閲覧可能となり、且つ、検索も可能となる。
更に、前記リハビリ実施結果・進捗情報入力・登録手段５８が前記コンピュータ２０，２１に読み込まれるとリハビリ実施結果・進捗情報が作成可能となり、作成されたリハビリ実施結果・進捗情報は前記地域医療・福祉共有データベース２のリハビリ情報データベース３２へ伝送されて記録される。
【００４５】
そして、該リハビリ情報データベース３２に記録されたデータは地域医療・福祉連携ネットワークシステム１を構成するサーバ４，９、前記コンピュータ１２〜１５、１７，１８、２０，２１、２３、２４〜２７及び２９によって閲覧及び検索自在となる。
【００４６】
図６は前記住民検診システム及び生活習慣病支援システム２２を示し、通所・入所施設に夫々設置されたコンピュータ２３が前記住民検診システム及び生活習慣病支援システム２２を作動させるための住民検診システム及び生活習慣病支援システムアプリケーション５９を記憶する記憶手段６０に接続され、該住民検診システム及び生活習慣病支援システムアプリケーション５９は、ｗｅｂページ表示手段６１、検診結果入力・登録手段６２、及び、携帯メール送受信手段６３を含んでいる。
【００４７】
而して、前記コンピュータ２３は該コンピュータ２３の通信手段、インターネット２８、前記データベースサーバ４の通信手段を介して前記地域医療・福祉共有データベース２にアクセスして該地域医療・福祉共有データベース２のデータの取得が可能になる。
【００４８】
又、前記ｗｅｂページ表示手段６１が前記コンピュータ２３に読み込まれて実行されると、前記アプリケーションサービスサーバ９から提供される医療ポータルサイトのｗｅｂページを閲覧可能となり、且つ、検索も可能となる。
【００４９】
更に、前記検診結果入力・登録手段６２が前記コンピュータ２３に読み込まれると検診結果情報が作成可能となり、作成された検診結果情報は前記地域医療・福祉共有データベース２の住民健康情報データベース３３へ伝送され記録される。
【００５０】
そして、該住民健康情報データベース３３に記録されたデータは地域医療・福祉連携ネットワークシステム１を構成するサーバ４，９、前記コンピュータ１２〜１５、１７，１８、２０，２１、２３、２４〜２７及び２９によって閲覧及び検索自在となる。
【００５１】
又、前記携帯メール送受信手段６３が前記コンピュータ２３に読み込まれると携帯メールとの送受信が可能となり、携帯メールによる受信予約、携帯メールによる要精検者のフォローアップが可能となる。
【００５２】
図７は前記へき地医療支援システム２４を示し、へき地医療拠点病院、へき地診療所及びへき地歯科診療所に夫々設置されたコンピュータ２５，２６，２７が相互にインターネット、公衆回線又は専用線等を用いたネットワーク６７によって接続されると共に、前記へき地医療支援システム２４を作動させるためのへき地医療支援システムアプリケーション６８を記憶する記憶手段６９に接続され、該へき地医療支援システムアプリケーション６８は、ｗｅｂページ表示手段７０を含んでおり、前記へき地歯科診療所のコンピュータ２７に接続される記憶手段６９に記憶されるへき地医療支援システムアプリケーション６８には前記ｗｅｂページ表示手段７０に加えてインプラント情報入力・伝送手段７１が含まれている。
【００５３】
而して、前記コンピュータ２５，２６，２７は該コンピュータ２５，２６，２７の通信手段、及び、前記ネットワーク６７を介して相互に通信可能となり、データ転送、メールの交換等が可能になると共に、該コンピュータ２５，２６，２７の通信手段、インターネット２８、前記データベースサーバ４の通信手段を介して前記地域医療・福祉共有データベース２にアクセスして該地域医療・福祉共有データベース２のデータの取得が可能になる。
【００５４】
又、前記ｗｅｂページ表示手段７０が前記コンピュータ２５，２６，２７に読み込まれて実行されると、前記アプリケーションサービスサーバ９から提供される医療ポータルサイトのｗｅｂページを閲覧可能となり、且つ、検索も可能となる。
【００５５】
更に、前記インプラント情報入力・伝送手段７１が前記コンピュータ２７に読み込まれるとインプラント情報が作成可能となり、作成されたインプラント情報は前記地域医療・福祉共有データベース２の患者カルテ情報データベース３１へ伝送されて、記録される。
【００５６】
そして、該患者カルテ情報データベース３１に記録されたインプラント情報は地域医療・福祉連携ネットワークシステム１を構成するサーバ４，９、前記コンピュータ１２〜１５、１７，１８、２０，２１、２３、２４〜２７及び２９によって閲覧及び検索自在となる。
【００５７】
図８は前記医療・福祉行政支援システム２８を示し、公共機関である県の保健福祉部等に設置されたコンピュータ２９が前記医療・福祉行政支援システム２８を作動させるための医療・福祉行政支援システムアプリケーション７２を記憶する記憶手段７３に接続され、該医療・福祉行政支援システムアプリケーション７２は、ｗｅｂページ表示手段７４、及び、データ加工・ビジュアル化手段７５を含んでいる。
【００５８】
而して、前記コンピュータ２９は該コンピュータ２９の通信手段、インターネット２８、前記データベースサーバ４の通信手段を介して前記地域医療・福祉共有データベース２にアクセスして該地域医療・福祉共有データベース２のデータの取得が可能になる。
【００５９】
又、前記ｗｅｂページ表示手段７４が前記コンピュータ２９に読み込まれて実行されると、前記アプリケーションサービスサーバ９から提供される医療ポータルサイトのｗｅｂページを閲覧可能となり、且つ、検索も可能となる。
【００６０】
更に、前記データ加工・ビジュアル化手段７５が前記コンピュータ２９に読み込まれるとデータ加工・ビジュアル化手段７５によって該コンピュータ２９が取得したデータをデータ加工或いはビジュアル化して、統計表、グラフ等を作成し、医療・福祉行政に役立てると共に、行政による医療・福祉の支援を可能にする。
【００６１】
図９は遠隔地のＭＲＩ（Ｍａｇｅｎｅｔｉｃ  Ｒｅｓｏｎａｎｃｅ  Ｉｍａｇｉｎｇ）及びＣＴ（Ｃｏｍｐｕｔｅｒ  Ｔｏｍｏｇｒａｐｈｙ）読影を支援するための遠隔読影支援システム７６を示し、該遠隔読影支援システム７６を作動させるための遠隔読影支援システムアプリケーション６が前記地域医療支援センター１０に設置されるアプリケーションサービスサーバ９に接続される記憶手段８内に記憶され、該遠隔読影支援システムアプリケーション６は医療画像表示手段７７、レポート作成・伝送手段７８、及び、遠隔地のＭＲＩ装置及びＣＴ装置の読影を支援する読影支援手段７９を含み、更に、前記アプリケーションサービスサーバ９には撮影カメラ８０、マイク８１及びスピーカ８２が接続されている。
【００６２】
一方、図７に示す如く、前記へき地医療拠点病院のコンピュータ２５にはＭＲＩ装置８３及びＣＴ装置８４が接続されると共に、撮影カメラ８５、マイク８６及びスピーカ８７が接続されている。同様に、前記へき地診療所のコンピュータ２６にはＭＲＩ装置８８及びＣＴ装置８９が接続されると共に、撮影カメラ９０、マイク９１及びスピーカ９２が接続されている。
【００６３】
而して、図７及び図９に於いて、前記へき地医療拠点病院のコンピュータ２５又はへき地診療所のコンピュータ２６からＭＲＩ装置８３、ＣＴ装置８４、ＭＲＩ装置８８、又は、ＣＴ装置８９で撮影された医療画像データが該コンピュータ２５又は２６の通信手段、インターネット３０、前記アプリケーションサービスサーバ９の通信手段を介して、該アプリケーションサービスサーバ９に送信されると、該アプリケーションサービスサーバ９が前記遠隔読影支援システムアプリケーション６の医療画像表示手段７７及びレポート作成・伝送手段７８を読み取り、実行することにより、該医療画像データを該アプリケーションサービスサーバ９のモニタ９ａに表示させ、読影診断可能にすると共に、読影診断結果はレポートとして作成され、該レポートは前記アプリケーションサービスサーバ９の通信手段、前記インターネット３０、前記へき地医療拠点病院のコンピュータ２５又はへき地診療所のコンピュータ２６の通信手段を介して該コンピュータ２５、又は、２６に送られる。
【００６４】
又、前記読影支援手段７９が前記アプリケーションサービスサーバ９に読み取られることによって、撮影カメラ８０、マイク８１及びスピーカ８２を作動させ、一方、前記前記へき地医療拠点病院及びへき地診療所の撮影カメラ８５、マイク８６及びスピーカ８７、撮影カメラ９０、マイク９１及びスピーカ９２を作動させることにより、映像及び音声を相互に送受信して、前記地域医療支援センター１０のアプリケーションサービスサーバ９側から前記へき地医療拠点病院及びへき地診療所のコンピュータ２５，２６側の前記ＭＲＩ装置８３、ＣＴ装置８４、ＭＲＩ装置８８、又は、ＣＴ装置８９の読影支援を行うことも可能である。
【００６５】
図１０は医療診断を支援するための遠隔診断支援システム９３を示し、該遠隔診断支援システム９３を作動させるための遠隔診断支援システムアプリケーション７が前記地域医療支援センター１０に設置されるアプリケーションサービスサーバ９に接続される記憶手段８内に記憶され、該遠隔診断支援システムアプリケーション７はへき地診療所診断支援手段９４及び巡回検診車支援手段９５を含み、更に、前記アプリケーションサービスサーバ９には前記撮影カメラ８０、マイク８１及びスピーカ８２が接続されている。
【００６６】
一方、図７に示す如く、前記へき地医療拠点病院のコンピュータ２５には前記撮影カメラ８５、マイク８６及びスピーカ８７が接続されている。同様に、前記へき地診療所のコンピュータ２６には前記撮影カメラ９０、マイク９１及びスピーカ９２が接続されている。
【００６７】
而して、図７及び図１０に於いて、前記アプリケーションサービスサーバ９が前記遠隔診断支援システムアプリケーション７のへき地診療所診断支援手段９４及び巡回検診車支援手段９５を読み取り、実行することにより、前記撮影カメラ８０、マイク８１及びスピーカ８２を作動させ、一方、前記へき地医療拠点病院及びへき地診療所の撮影カメラ８５、マイク８６及びスピーカ８７、撮影カメラ９０、マイク９１及びスピーカ９２、及び、図示しない巡回検診車の第７コンピュータと接続される撮影カメラ、マイク及びスピーカと選択的に接続することにより、映像及び音声を相互に送受信して、前記地域医療支援センター側の医者と、へき地医療拠点病院、へき地診療所又は巡回車の患者とを映像及び音声で結び、遠隔診断を可能にする。
【００６８】
斯くして、前記地域医療・福祉連携ネットワークシステム１によれば、前記電子カルテ作成・登録手段４７、電子レセプト作成・伝送手段４８，５４、リハビリ実施結果・進捗情報入力・登録手段５８及び検診結果入力・登録手段６２によって作成されたデータが前記地域医療・福祉共有データベース２に書き込まれ、共通データベース化されると共に、へき地を含む地域全体の医療・福祉機関で前述の地域医療・福祉共有データベース２を閲覧、及び、検索することができ、へき地を含む地域全体の医療及び福祉を総合的に支援することができる。
【００６９】
尚、図１に示すように、前記アプリケーションサービスサーバ９は県に設置される緊急医療情報システム９６、及び、国に設置される地域医療支援ネットワーク９７に接続されると共に、該緊急医療情報システム９６は国に設置される広域災害・緊急情報システム９８に接続され、前記アプリケーションサービスサーバ９に接続される前記医療・福祉行政支援システム２８は国に設置される電子政府・電子行政９９に接続され、前記地域医療・福祉連携ネットワークシステム１は県及び国からの支援を受けられる構成となっている。
【図面の簡単な説明】
【００７０】
【図１】本発明の一実施の形態を示し、地域医療・福祉連携ネットワークシステムの説明図。
【図２】本発明の一実施の形態を示し、医療ポータルサイトシステムの説明図。
【図３】本発明の一実施の形態を示し、ネットワーク型電子カルテシステムの説明図。
【図４】本発明の一実施の形態を示し、ネットワーク型介護支援システムの説明図。
【図５】本発明の一実施の形態を示し、リハビリテーション総合支援システムの説明図。
【図６】本発明の一実施の形態を示し、住民検診システム及び生活習慣病支援システムの説明図。
【図７】本発明の一実施の形態を示し、へき地医療支援システムの説明図。
【図８】本発明の一実施の形態を示し、医療・福祉行政支援システムの説明図。
【図９】本発明の一実施の形態を示し、遠隔読影支援システムの説明図。
【図１０】本発明の一実施の形態を示し、遠隔診断支援システムの説明図。
【符号の説明】
【００７１】
１  地域医療・福祉連携ネットワークシステム
２  地域医療・福祉共有データベース地域医療支援センター
３，８，４２〜４５，５２，５６，６０，６５，６９，７３  データ記憶手段
４  データベースサーバ
５  医療ポータルサイトシステムアプリケーション
６  遠隔読影支援システムアプリケーション
７  遠隔診断支援システムアプリケーション
９  アプリケーションサービスサーバ
９ａモニタ
１２〜１５，１７〜１８，２０，２１，２３，２５〜２７，２９，  コンピュータ
１６  ネットワーク型介護支援システム
１９  リハビリテーション総合支援システム
２２  住民検診システム及び生活習慣病支援システム
２４  へき地医療支援システム
２８  医療・福祉行政支援システム
３０  インターネット
４１  ネットワーク型電子カルテシステムアプリケーション
４６，５３，５７，６１，６６，７０，７４  ｗｅｂページ表示手段
４７  電子カルテ作成・登録手段
４８，５４  電子レセプト作成・伝送手段
４９  域内疾病情報データベース化手段
５１  ネットワーク型介護支援システムアプリケーション
５５  リハビリテーション総合支援システムアプリケーション
５８  リハビリ実施結果・進捗情報入力・登録手段
５９  住民検診システム及び生活習慣病支援システムアプリケーション
６２  検診結果入力・登録手段
６８  へき地医療支援システムアプリケーション
７２  医療・福祉行政支援システムアプリケーション
７７  医療画像表示手段
７８  レポート作成・伝送手段
７９  読影支援手段
８０，８５，９０  撮影カメラ
８１，８６，９１  マイク
８２，８７，９２  スピーカ
８３，８８  ＭＲＩ装置
８４，８９  ＣＴ装置
９４  へき地診療所診断支援手段
９５  巡回検診車支援手段
【図１】
2005250807.tif 000003
【図２】
2005250807.tif 000004
【図３】
2005250807.tif 000005
【図４】
2005250807.tif 000006
【図５】
2005250807.tif 000007
【図６】
2005250807.tif 000008
【図７】
2005250807.tif 000009
【図８】
2005250807.tif 000010
【図９】
2005250807.tif 000011
【図１０】
2005250807.tif 000012